(57)【特許請求の範囲】
【請求項１】
画像が記録されたコマ単位のフィルムと、このフィルムの周囲を挟み込んで保持する枠体とで構成されたスライドマウントから、スキャナ部によって画像を読み取る画像読取装置であって、
前記スライドマウントを保持する保持部、少なくともコマ画像の一端から他端までが前記読取光軸を通過するように移動する移動部を備えたマウントキャリアと、
前記フィルムに記録された画像サイズ並びに該フィルムの向きを検出するフィルム状態センサと、
装着されているマウントキャリアとの適合性を判別する判別手段と、
判別手段で非適合と判別されたフィルムを保持するスライドマウントのスキャナ部における画像読取を禁止する禁止手段と、
を有する画像読取装置。
【請求項２】
画像が記録されたコマ単位のフィルムと、このフィルムの周囲を挟み込んで保持する枠体とで構成されたスライドマウントを積み重ねて収容することが可能な一対の収容箱と、
前記一対の収容箱の一方が載置され、収容されたスライドマウントを１枚づつ取り出す取出機構が配設された供給手段と、
前記一対の収容箱の他方が載置され、スライドマウントを１枚づつ挿入し、積み重ねていく積込み機構が配設された収容手段と、
前記供給手段と、収容手段との間に読取光軸が設けられ、前記スライドマウントにマウントされたコマ画像を読み取るスキャナ部と、
前記供給手段と、収容手段との間に配設され、前記供給手段から取り出したスライドマウントを受け取って保持する保持部、少なくともコマ画像の一端から他端までが前記読取光軸を通過するように移動する移動部、前記保持部に保持されたスライドマウントを前記収容手段へ受け渡す受渡部を備えたマウントキャリアと、
前記フィルムに記録された画像サイズ並びに該フィルムの向きを検出するフィルム状態センサと、
装着されているマウントキャリアとの適合性を判別する判別手段と、
判別手段で非適合と判別されたフィルムを保持するスライドマウントのスキャナ部における画像読取を禁止する禁止手段と、
を有する画像読取装置。
【請求項３】
前記マウントキャリアの保持部では、前記スライドマウントを少なくとも画像面が透明とされた圧着部材によって表裏面から圧着すると共に、前記圧着部材の画像面に対応する透明部分が前記フィルムの表裏面を直接圧着することを特徴とする請求項１又は請求項２に記載の画像読取装置。
【発明の詳細な説明】
【０００１】
【発明の属する技術分野】
本発明は、画像が記録されたコマ単位のフィルムと、このフィルムの周囲を挟み込んで保持する枠体とで構成されたスライドマウントから、スキャナ部によって画像を読み取る画像読取装置に関する。
【０００２】
【従来の技術】
近年では、写真フィルムに記録されたコマ画像をＣＣＤ等の読取センサによって光電的に読み取り、該読み取りによって得られたデジタル画像データに対し拡大縮小や各種補正等の画像処理を実行し、画像処理済のデジタル画像データに基づき変調したレーザ光により記録材料へ画像を形成する技術が知られている。
【０００３】
このようにＣＣＤ等の読取センサによりコマ画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、決定した読取条件でコマ画像を再度読み取っていた（いわゆるファインスキャン）。
【０００４】
この場合プレスキャンは、比較的ラフな読取精度でよいため、搬送速度むらにも比較的大きな許容範囲がある。これに対して、ファインスキャンは、極めてシビアな読取精度が要求されるため、搬送速度むらの許容範囲が極めて狭い。
【０００５】
ここで、上記スキャニングは、フィルムキャリアによって長尺フィルムを保持し、かつ定速で搬送することによって副走査しながら、読取センサの読取光を主走査することによって行っている。
【０００６】
しかしながら、スライドマウントにマウントされた状態のフィルムから画像を読み取る場合、上記のようなフィルムスキャナを適用することはできないため、１枚１枚手作業で処理することになる。また、スライドマウントを定速搬送するためには、特別の移動機構が必要となるため、読取センサ側で主走査のみならず、副走査を行う必要があった。
【０００７】
本発明は上記事実を考慮し、スライドマウントを精度よく定速搬送することができ、該マウントされたフィルムから自動的に画像を読取ることができる画像読取装置を得ることが目的である。
【０００８】
【課題を解決するための手段】
請求項１に記載の発明は、画像が記録されたコマ単位のフィルムと、このフィルムの周囲を挟み込んで保持する枠体とで構成されたスライドマウントから、スキャナ部によって画像を読み取る画像読取装置であって、前記スライドマウントを保持する保持部、少なくともコマ画像の一端から他端までが前記読取光軸を通過するように移動する移動部を備えたマウントキャリアと、前記フィルムに記録された画像サイズ並びに該フィルムの向きを検出するフィルム状態センサと、装着されているマウントキャリアとの適合性を判別する判別手段と、判別手段で非適合と判別されたフィルムを保持するスライドマウントのスキャナ部における画像読取を禁止する禁止手段と、を有している。
【０００９】
請求項１に記載の発明によれば、スライドマウント専用のマウントキャリアを配設し、かつこのマウントキャリアによってスキャナ部の読取光軸をフィルムの一端から他端まで通過するように移動可能としている。このため、スキャナ部では読取光軸を主走査方向にのみ偏向すればよく、一般のフィルムキャリアによるスキャニングと同等の手順で画像を読み取ることができる。
また、スライドマウントは、枠体がほぼ正方形であるが、厳密な正方形ではないため、収容体に収容するときに縦横が揃っていない場合がある。また、今日では、複数のフィルムの種類（１３５サイズ、ＡＰＳ（２４０）サイズ）があり、搭載されているマウントキャリアでは、適正に画像読取ができない場合がある。
そこで、フィルム状態センサによって、画像サイズ及びフィルムの向きを検出し、判別手段で装着されているマウントキャリアとの適合性を判別する。この判別の結果、非適合と判別された場合は、禁止手段により画像の読取を禁止する。この禁止手段では、例えば、画像読取を実施しなかったスライドマウントをピックアップして、画像読取を実施したもので区別してもよいし、当初は区別せず、画像読取を実施しなかった記録だけ残しておいてもよい。
【００１０】
請求項２に記載の発明は、画像が記録されたコマ単位のフィルムと、このフィルムの周囲を挟み込んで保持する枠体とで構成されたスライドマウントを積み重ねて収容することが可能な一対の収容箱と、前記一対の収容箱の一方が載置され、収容されたスライドマウントを１枚づつ取り出す取出機構が配設された供給手段と、前記一対の収容箱の他方が載置され、スライドマウントを１枚づつ挿入し、積み重ねていく積込み機構が配設された収容手段と、前記供給手段と、収容手段との間に読取光軸が設けられ、前記スライドマウントにマウントされたコマ画像を読み取るスキャナ部と、前記供給手段と、収容手段との間に配設され、前記供給手段から取り出したスライドマウントを受け取って保持する保持部、少なくともコマ画像の一端から他端までが前記読取光軸を通過するように移動する移動部、前記保持部に保持されたスライドマウントを前記収容手段へ受け渡す受渡部を備えたマウントキャリアと、前記フィルムに記録された画像サイズ並びに該フィルムの向きをを検出するフィルム状態センサと、装着されているマウントキャリアとの適合性を判別する判別手段と、判別手段で非適合と判別されたフィルムを保持するスライドマウントのスキャナ部における画像読取を禁止する禁止手段と、を有している。
【００１１】
請求項２に記載の発明によれば、予めスライドマウントを収容可能な収容箱を一対用意しておき、マウントキャリアの両脇、すなわちスライドマウントの搬送方向上下流側にそれぞれ配置しておく。
【００１２】
ここで、供給手段では、取出機構によって一方の収容箱（上流側）からスライドマウントを１枚づつ取出。これを、マウントキャリアの保持部で受け取って保持し、移動部により少なくともコマ画像の一端から他端までが前記読取光軸を通過するように移動する。この移動が副走査であり、この副走査に同期してスキャナ部の読取光軸を主走査することによって、フィルム上の画像を読み取ることができる。
【００１３】
画像の読取りが終了すると、受渡部によりスライドマウントを他方の収容箱（下流側）へ受け渡す。この収容箱には、収容手段の積込み機構によって画像の読取りを終えたスライドマウントが次々と積み重ねられていく。
【００１４】
このように、マウントキャリアを中央に置き、一方から他方へスライドマウントを送り出していくことにより、画像の読取りができ、かつ画像読取前と同様にスライドマウントを積み重ねて収容することができるため、長尺フィルムの処理と同等の工程となり、作業効率がよい。
また、スライドマウントは、枠体がほぼ正方形であるが、厳密な正方形ではないため、収容体に収容するときに縦横が揃っていない場合がある。また、今日では、複数のフィルムの種類（１３５サイズ、ＡＰＳ（２４０）サイズ）があり、搭載されているマウントキャリアでは、適正に画像読取ができない場合がある。
そこで、フィルム状態センサによって、画像サイズ及びフィルムの向きを検出し、判別手段で装着されているマウントキャリアとの適合性を判別する。この判別の結果、非適合と判別された場合は、禁止手段により画像の読取を禁止する。この禁止手段では、例えば、画像読取を実施しなかったスライドマウントをピックアップして、画像読取を実施したもので区別してもよいし、当初は区別せず、画像読取を実施しなかった記録だけ残しておいてもよい。
【００１５】
請求項３に記載の発明は、前記請求項１又は請求項２記載の発明において、前記マウントキャリアの保持部では、前記スライドマウントを少なくとも画像面が透明とされた圧着部材によって表裏面から圧着すると共に、前記圧着部材の画像面に対応する透明部分が前記フィルムの表裏面を直接圧着することを特徴としている。
【００１６】
請求項３に記載の発明によれば、スライドマウントにおける枠体の表面とフィルムの表面との間には枠体の肉厚寸法分を段差がある。このため、枠体を保持すると、画像面に対応する透明部分と画像面との間に隙間が生じる。この隙間は、画像読取時のピントずれとなることがある。
【００１７】
そこで、圧着部材の画像面に対応する透明部分が前記フィルムの表裏面を直接圧着するように、例えば、画像に対応する領域の透明部分を前記肉厚寸法分突出させる。これにより、確実にフィルム自体に接触するためピントずれの問題が解消できる。
【００２１】
【発明の実施の形態】
まず本実施形態に係るディジタルラボシステムについて説明する。
【００２２】
（システム全体の概略構成）
図１には本実施形態に係るディジタルラボシステム１０の概略構成が示されており、図２にはディジタルラボシステム１０の外観が示されている。図１に示すように、このラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００２３】
ラインＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。ラインＣＣＤスキャナ１４は、上記の読取対象のコマ画像をラインＣＣＤで読み取り、画像データを出力する。
【００２４】
上記異なる種類（サイズ）のフィルムから画像を読み取る場合、複数の画像コマが連続して撮影されている長尺フィルム（ピースフィルムも含む）であれば、それぞれに適合したフィルムキャリアをラインＣＣＤスキャナ１４の読取光軸位置に設置することにより、このフィルムキャリアによって、フィルムを搬送し、複数の画像コマを順次読取位置へ位置決めすることにより、自動的にかつ連続して複数の画像の読取りが可能である。
【００２５】
ここで、本実施の形態のラインＣＣＤスキャナ１４では、上記のような長尺フィルムではなく、１コマ毎にスライドマウントにマウントされたフィルムから画像を読み取る場合のディジタルラボシステム１０として説明する。
【００２６】
画像処理部１６は、ラインＣＣＤスキャナ１４から出力された画像データ（スキャン画像データ）が入力されると共に、デジタルカメラでの撮影によって得られた画像データ、原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００２７】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００２８】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００２９】
（ラインＣＣＤスキャナの構成）
次にラインＣＣＤスキャナ１４の構成について説明する。図３にはラインＣＣＤスキャナ１４の光学系の概略構成が示されている。この光学系は、ハロゲンランプやメタルハライドランプ等から成り、スライドマウント５００にマウントされた写真フィルム２２に光を照射する光源３０を備えており、光源３０の光射出側には、写真フィルム２２に照射する光を拡散光とする光拡散ボックス３６が順に配置されている。
【００３０】
写真フィルム２２は、光拡散ボックス３６の光射出側に配置されたマウントキャリア５０２（図２参照、図３では図示省略）によって、コマ画像の画面が光軸と垂直になるように搬送される。
【００３１】
また、光源３０と光拡散ボックス３６との間には、Ｃ（シアン）、Ｍ（マゼンダ）、Ｙ（イエロー）の調光フィルタ１１４Ｃ、１１４Ｍ、１１４Ｙが射出光の光軸に沿って順に設けられており、写真フィルム２２を挟んで光源３０と反対側には、光軸に沿って、コマ画像を透過した光を結像させるレンズユニット４０、ラインＣＣＤ１１６が順に配置されている。図３ではレンズユニット４０として単一のレンズのみを示しているが、レンズユニット４０は、実際には複数枚のレンズから構成されたズームレンズである。
【００３２】
ラインＣＣＤ１１６は、複数のＣＣＤセルが、搬送される写真フィルム２２の幅方向に沿って一列に配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ１１６は、各センシング部の受光面がレンズユニット４０の結像点位置に一致するように配置されている。
【００３３】
また、各センシング部の近傍には転送部が各センシング部に対応して各々設けられており、各センシング部の各ＣＣＤセルに蓄積された電荷は、対応する転送部を介して順に転送される。また図示は省略するが、ラインＣＣＤ１１６とレンズユニット４０との間にはシャッタが設けられている。
【００３４】
図４にはラインＣＣＤスキャナ１４の電気系の概略構成が示されている。ラインＣＣＤスキャナ１４は、ラインＣＣＤスキャナ１４全体の制御を司るマイクロプロセッサ４６を備えている。マイクロプロセッサ４６には、バス６２を介してＲＡＭ６４（例えばＳＲＡＭ）、ＲＯＭ６６（例えば記憶内容を書換え可能なＲＯＭ）が接続されていると共に、モータドライバ４８が接続されており、モータドライバ４８にはフィルタ駆動モータ５４が接続されている。フィルタ駆動モータ５４は調光フィルタ１１４Ｃ、１１４Ｍ、１１４Ｙを各々独立にスライド移動させることが可能とされている。
【００３５】
マイクロプロセッサ４６は、図示しない電源スイッチのオンオフに連動して光源３０を点消灯させる。また、マイクロプロセッサ４６は、ラインＣＣＤ１１６によるコマ画像の読み取り（測光）を行う際に、フィルタ駆動モータ５４によって調光フィルタ１１４Ｃ、１１４Ｍ、１１４Ｙを各々独立にスライド移動させ、ラインＣＣＤ１１６に入射される光量を各成分色光毎に調節する。
【００３６】
またモータドライバ４８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像点位置を光軸に沿って移動させるレンズ駆動モータ１０６が接続されている。マイクロプロセッサ４６は、コマ画像のサイズやトリミングを行うか否か等に応じて、ズーム駆動モータ７０によってレンズユニット４０のズーム倍率を所望の倍率に変更する。
【００３７】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００３８】
Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００３９】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００４０】
また、モータドライバ４８にはシャッタを開閉させるシャッタ駆動モータ９２が接続されている。ラインＣＣＤ１１６の暗出力については、後段の画像処理部１６で補正されるが、暗出力レベルは、コマ画像の読み取りを行っていないときに、マイクロプロセッサ４６がシャッタを閉止させることで得ることができる。
【００４１】
（画像処理部の構成）
次に画像処理部１６の構成について図５を参照して説明する。画像処理部１６は、ラインＣＣＤスキャナ１４に対応してラインスキャナ補正部１２２が設けられている。ラインスキャナ補正部１２２は、ラインＣＣＤスキャナ１４から並列に出力されるＲ、Ｇ、Ｂの画像データに対応して、暗補正回路１２４、欠陥画素補正部１２８、及び明補正回路１３０から成る信号処理系が３系統設けられている。
【００４２】
暗補正回路１２４は、ラインＣＣＤ１１６の光入射側がシャッタにより遮光されている状態で、ラインＣＣＤスキャナ１４から入力されたデータ（ラインＣＣＤ１１６のセンシング部の各セルの暗出力レベルを表すデータ）を各セル毎に記憶しておき、ラインＣＣＤスキャナ１４から入力されたスキャン画像データから、各画素毎に対応するセルの暗出力レベルを減ずることによって補正する。
【００４３】
また、ラインＣＣＤ１１６の光電変換特性は各セル単位でのばらつきもある。欠陥画素補正部１２８の後段の明補正回路１３０では、ラインＣＣＤスキャナ１４に画面全体が一定濃度の調整用のコマ画像がセットされている状態で、ラインＣＣＤ１１６で前記調整用のコマ画像を読み取ることによりラインＣＣＤスキャナ１４から入力された調整用のコマ画像の画像データ（この画像データが表す各画素毎の濃度のばらつきは各セルの光電変換特性のばらつきに起因する）に基づいて各セル毎にゲインを定めておき、ラインＣＣＤスキャナ１４から入力された読取対象のコマ画像の画像データを、各セル毎に定めたゲインに応じて各画素毎に補正する。
【００４４】
一方、調整用のコマ画像の画像データにおいて、特定の画素の濃度が他の画素の濃度と大きく異なっていた場合には、ラインＣＣＤ１１６の前記特定の画素に対応するセルには何らかの異常があり、前記特定の画素は欠陥画素と判断できる。欠陥画素補正部１２８は調整用のコマ画像の画像データに基づき欠陥画素のアドレスを記憶しておき、ラインＣＣＤスキャナ１４から入力された読取対象のコマ画像の画像データのうち、欠陥画素のデータについては周囲の画素のデータから補間してデータを新たに生成する。
【００４５】
また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、コマ画像上で同一の画素のＲ、Ｇ、Ｂの画像データが同時に出力されるように、各成分色毎に異なる遅延時間で画像データの出力タイミングの遅延を行う。
【００４６】
ラインスキャナ補正部１２２の出力端はセレクタ１３２の入力端に接続されており、補正部１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００４７】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々１フレーム分のコマ画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００４８】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００４９】
ところで、本実施形態では個々のコマ画像に対し、ラインＣＣＤスキャナ１４において異なる解像度で２回の読み取りを行う。１回目の比較的低解像度での読み取り（以下、プレスキャンという）では、コマ画像の濃度が極端に低い場合（例えばネガフィルムにおける露光オーバのネガ画像）にも、ラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でコマ画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００５０】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００５１】
オートセットアップエンジン１４４は、入出力コントローラ１３４から入力された複数コマ分のコマ画像のプレスキャン画像データに基づいて、ラインＣＣＤスキャナ１４による２回目の比較的高解像度での読み取り（以下、ファインスキャンという）によって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のコマ画像が有るか否か判定し、類似のシーンを撮影した複数のコマ画像が有った場合には、これらのコマ画像のファインスキャン画像データに対する画像処理の処理条件が同一又は近似するように決定する。
【００５２】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００５３】
更に、オートセットアップエンジン１４４は、入出力コントローラ１３４から入力されたコマ画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００５４】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００５５】
パーソナルコンピュータ１５８は、ＣＰＵ１６０、メモリ１６２、ディスプレイ１６４及びキーボード１６６（図２も参照）、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はマウントキャリア５０２に接続されており、マウントキャリア５０２（図２参照）によるスライドマウント５００の搬送を制御する。
【００５６】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００５７】
なお、画像処理部１６は、プレスキャン画像データ等をパーソナルコンピュータ１５８に出力し、ラインＣＣＤスキャナ１４で読み取られたコマ画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００５８】
（マウントムキャリアの構成）
図６乃至図８には、本実施の形態に係るスライドマウント５００用のマウントキャリア５０２が示されている。
【００５９】
スライドマウント５００は、フィルム５０４が枠体５０６に挟持されて構成されている。
【００６０】
図６に示される如く、マウントキャリア５０２のケーシング５０８の左右には、それぞれ収容箱５１０、５１２が設けられている。この収容箱５１０、５１２は矩形筒形で、内部にスライドマウント５００が積み重ねて収容することができる構造となっている。
【００６１】
なお、このとき、図６の右側の収容箱５１０は、これからフィルム５０４に記録された画像を読み取る前のスライドマウント５００が収容されるものであり（以下、個別に示す場合は取出側収容箱５１０という）、図６の左側の収容箱５１２は、すでにフィルム５０４に記録された画像を読み取った後のスライドマウント５００が収容されるものである（以下、個別に示す場合は積込側収容箱５１２という）。
【００６２】
収容箱５１０、５１２のそれぞれマウントキャリア５０２に対向する側面の下部には、横長の貫通孔５１４、５１６が設けられ、最下層のスライドマウント５００の通過用となっている。
【００６３】
また、収容箱５１０、５１２の底部には、取出機構としてのローラ５１８と、積込み機構としてのローラ５２０のそれぞれの一部が入り込む貫通孔５２２が設けられている。すなわち、収容箱５１０、５１２の載置ベースには、前記ローラ５１８、５２０が突出された状態で配設されている。このため、この上に収容箱５１０、５１２が載置されると、ローラ５１８、５２０は、その一部が貫通孔５２２を通過して、最下層のスライドマウント５００に接触する状態となる。
【００６４】
ここで、取出側収容箱５１０の載置ベースは、積込側収容箱５１２の載置ベースに対して若干高い位置となっており、この高さの差により、取出側収容箱５１０側のローラ５１８は、収容されたスライドマウント５００の水平状態を維持して最下層のスライドマウント５００に接触し、積込側収容箱５１２側のローラ５２０は、収容されたスライドマウント５００を若干持ち上げた状態で、最下層のスライドマウント５００に接触している。
【００６５】
この状態で、取出側収容箱５１０側のローラ５１８が図６の反時計回り方向に回転すると、最下層のスライドマウント５００が貫通孔５１４から送り出され、マウントキャリア５０２へと搬送される。この場合、荷重増加用の重り５２４（図８参照）を取出側収容箱５１０に収容されたスライドマウント５００の最上層に載せてもよい。
【００６６】
また、積込側収容箱５１２側のローラ５２０が図６の反時計回り方向に回転すると、マウントキャリア５０２から搬送されてくるスライドマウント５００が貫通孔５１６を通過して、このローラ５２０の回転に応じてローラ５２０に登り上がりながら収容されるようになっている。このとき、先に収容されたスライドマウント５００とローラ５２０との間に収容されるため、順次最下層となって収容されることになる。
【００６７】
マウントキャリア５００のケーシング５０８内には、キャリア本体５２６が収容されており、このキャリア本体５２６は、移動機構部５２８に搭載されている。
【００６８】
移動機構部５２８は一対の脚板５３０を有するベース５３２が設けられ、このベース５３２上にキャリア本体５２６が載置されている。このベース５３２の下面には、移動ブロック５３４が取り付けられ、雄ねじが形成された回転シャフト５３６に螺合されている。回転シャフト５３６は、ベース５３２の一対の脚板５３０を遊嵌し、その両端部は、それそれ略Ｌ字形のブラケット５３８に軸支されている。
【００６９】
また、この回転シャフト５３６と平行に、一対のガイドシャフト５４０が一対の脚板５３０に軸支されると共に、その両端はそれぞれ前記ブラケット５３８に固定されている。回転シャフト５３６の一端部には、歯車５４２、５４４を介して図示しないモータの駆動軸と連結されており、このモータの駆動力で回転シャフト５３６は正転、逆転するようになっている。
【００７０】
ここで、回転シャフト５３６の正転時は、移動ブロック５３４の回転が阻止されているため、この移動ブロック５３４と共にキャリア本体５２６が回転シャフト５３６の軸線に沿って図７の左方向へ移動する。また、逆転時は、図７の右方向へ移動する。
【００７１】
キャリア本体５２６には、スライドマウント５００が保持されており、前記移動によって、このスライドマウント５００上のフィルム５０４に記録された画像の一端から他端までがラインＣＣＤ１１６の読取光軸を通過することになる。本実施の形態では、キャリア本体５２６は２往復され、１回目の往路時にプレスキャニングが行われ、２回目の往路時にファインスキャニングが行われるようになっている。
【００７２】
図８には、キャリア本体５２６の内部構造が示されている。
取出側収容箱５１０の側面に設けられた貫通孔５１４は、遮蔽板５４６によってスライドマウント５００の１枚分の肉厚寸法程度が開口するように遮られている。
【００７３】
この取出側収容箱５１０から前記ローラ５１８によって取り出されたスライドマウント５００は、図８の右側から順次配設された第１乃至第４搬送ローラ対５４８、５５０、５５２、５５４によって積込側収容箱５１２まで略直線的に搬送される。なお、第１及び第４の搬送ローラ対５４８、５５４は、収容箱５１０、５１２の近傍でそれぞれ固定配置であり、第２及び第３の搬送ローラ対５５０、５５２は、キャリア本体５２６の移動（後述）と共に移動する。
【００７４】
第１の搬送ローラ対５４８と第２の搬送ローラ対５５０との間には、フィルム状態センサとしての赤外線センサ５５４の投光部と受光部とがスライドマウント５００の搬送路を挟むように同軸上に配設されている。
【００７５】
この赤外線センサ５５４は、その検出光のスライドマウント５００との相対移動軌跡が、図１０に示される如く、適正の向き（横向き）で搬送されている１３５サイズではフィルム５０４面上を通過し、適正の向き（横向き）で搬送されているＡＰＳ（２４０）サイズでは、枠体５０６面上と通過する位置にくるように配置されている。このため、適正の向きにおけるサイズの違いを検出値の差によって認識することができる。
【００７６】
また、この赤外線センサ５５４では、前記相対移動軌跡が非適正の向き（縦向き）で搬送されてくる１３５サイズ及び２４０サイズのフィルム５０４面上を共に通過する位置となっており、この赤外線センサ５５４によるフィルム検出時間と搬送速度とから搬送方向に沿ったフィルム５０４の寸法を認識し、予め記憶された適正向きにおけるフィルム５０４の搬送方向寸法とに相違がある場合には、向きの違いを判別することができる。
【００７７】
第２の搬送ローラ対５５０と第３の搬送ローラ対５５２との間には、スライドマウント５００の表裏を圧着するための一対の圧着板５５６、５５８が配設されている。下側の圧着板５５６からのその四隅からシャフト５６０が突出され、上側の圧着板５５８の四隅を貫通し、所定の貫通量でホルダ５６２によって抜け止めがなされている。４本のシャフト５６０の内、対角線上に位置する２本のシャフト５６０には、圧縮コイルばね５６４が取り付けられており、これにより、一対の圧着板５５６、５５８は、圧縮コイルばね５６４の付勢力によって所定の間隔でかつ平行に保持される。
【００７８】
圧着板５５６、５５８の中央部には、それぞれ矩形状の貫通孔５６６、５６８が設けられている。この貫通孔５６６、５６８のサイズは、フィルムサイズに対応しており、例えば、１３５サイズのアスペクト比と同一又は若干大きめのサイズとなっている。従って、この圧着板５５６、５５８は、１３５サイズ用となる。
【００７９】
この矩形状の貫通孔５６６、５６８の互いに対向する面側には、矩形状の溝が形成され、圧着ガラス５７０、５７２がはめ込まれている。この圧着ガラス５７０、５７２の肉厚寸法が前記溝の深さと同一であり、これにより、圧着ガラス５７０、５７２は、圧着板５５６、５５８の互いに対向する面と面一となる。
【００８０】
ここで、圧着ガラス５７０、５７２の中央部、すなわち貫通孔５６６、５６８と対向する領域は、その肉厚寸法が大きくなっており、フィルム圧着面とされている。この差分はスライドマウント５００の枠体５０６面とフィルム５０４面との段差に相当しており、前記圧縮コイルばね５６４の付勢力に抗して圧着板５５６、５５８を接近する方向に移動させると、フィルム圧着面が隙間なく、フィルム５０４の表裏面を挟持することになる。なお、それ以外の部分は、枠体５０６を挟持する。
【００８１】
下側の圧着板５５６の下面には、ソレノイドを駆動源とする圧着機構部５７４が設けられ、この圧着機構部のソレノイドが励磁されることによって、圧着板５５６、５５８が同時に接近する方向に移動し、この圧着板５５６、５５８間に設けられたスライドマウント５００を挟持するようになっている。
【００８２】
以下に、本実施の形態の作用を図９のフローチャートに従い説明する。
まず、これから画像を読み取るスライドマウント５００が積み重ねられた取出側収容箱５１０と、空の積込用収容箱５１２を所定の載置ベースにセットする。
【００８３】
ステップ６００では、搬送ローラ対５４８、５５０、５５２、５５４を駆動させる。次いでステップ６０２で取出側収容箱５１０の載置ベースに設けられたローラ５１８、並びに積込側収容箱５１２の載置ベースに設けられたローラ５２０を駆動する。
【００８４】
取出側収容箱５１０側では、この取出側収容箱５１０の最下層に位置するスライドマウント５００に搬送力が付与され、このスライドマウント５００は、側面の貫通孔５１４から排出される。このとき、遮蔽板５４６により、下から２層目以上のスライドマウント５００が同時に排出されることはない。
【００８５】
この排出後、スライドマウント５００は、第１の及び第２の搬送ローラ対５４８、５５０に挟持搬送され、キャリア本体５２６の所定位置に位置決めされる。一方、圧着板５５６、５５８の間に位置決めされ、既に画像読取りが終了したスライドマウント５００は、第３及び第４の搬送ローラ対５５２、５５４に挟持搬送されて、積込側収容箱５１２へと搬送される。このスライドマウント５００が、積込側収容箱５１２の貫通孔５１６を通過して、ローラ５２０に接触すると、このローラ５２０の回転に沿ってローラ５２０上に登り上がる。このとき、既に積み重ねられていたスライドマウント５００を押し上げるため、スライドマウント５００は、最下層へ挿入される。
【００８６】
ステップ６０４では、前記第１の搬送ローラ対５４８で搬送されてくるスライドマウント５００が、第２の搬送ローラ対５５０へ至る前に、赤外線センサ５５４によって、スライドマウント５００の搬送方向に沿った辺の寸法と、収容されているフィルムの搬送方向に沿った辺の寸法とが検出される。これは、赤外線の透過率の差によって容易に認識できる。
【００８７】
次のステップ６０６では、検出した寸法と、搬送速度とからフィルムサイズとスライドマウントの向きを判別する（図１１のサブルーチン参照）。この判別方法は、以下の通りである。
【００８８】
図１０に示される如く、本実施の形態では、１３５サイズと２４０サイズの区別とこれらの向きの区別を行っている。
【００８９】
まず、図１０（Ａ）と（Ｂ）に示される如く、赤外線センサ５５４の検出軌跡（図１０の鎖線参照）が、１３５サイズ（図１０（Ｂ））では、フィルム５０４上と枠体５０６を通過しているのに対し、２４０サイズ（図１０（Ａ））では、全て枠体５０６上となり、この結果、フィルムサイズを判別することができる。従って、枠体５０６の検出時間ｔW と搬送速度Ｖとの積により枠体５０６の寸法Ｌ０が演算され（図１１のステップ７００）、予め記憶された２４０サイズ用スライドマウント５００の横向きの長さ寸法Ｌと一致すれば（図１１のステップ７０２）、横向きの２４０サイズであることが判明する（図１１のステップ７０４）。
【００９０】
一方、図１０（Ｃ）及び（Ｄ）では、１３５サイズの横向きと同様にフィルム５０４上と枠体５０６上を通過しているため、このような縦向きが存在したとき、１３５サイズの横向きと区別がつかない。
【００９１】
そこで、前記寸法Ｌ０からフィルム５０４の検出時間ｔF と搬送速度V との積（フィルム寸法ＬＦ１）を差し引いた１／２の寸法Ｌ１を演算し（図１１のステップ７０６）、それぞれ予め定められた寸法（縦向きの１３５サイズＬＡ、縦向きの２４０サイズＬＢ、横向きの２４０サイズＬＣの３種類の寸法）と比較する（図１１のステップ７０８、７１０、７１２）。これにより、正常に搬送されていれば、いずれかの寸法と一致することになり、フィルムサイズと向きを判別することができる（図１１のステップ７１４、７１６、７１８）。なお、いずれも判別されない場合は、搬送不良でありエラー処理となる（図１１のステップ７２０）。
【００９２】
図９に示される如く、次のステップ６０８では、上記判別されたサイズ及び向きが現在装着されているマウントキャリア５０２（実際は圧着板５５６、５５８の交換となる）に適合するか否かが判断され、否定判定の場合は、ステップ６１０へ移行し、非適合処理を行う。例えば、圧着板５５６、５５８間に位置決めせず、そのまま通過させ、積込用収容箱５１２へ収容する。このとき、一連の処理の何番目のスライドマウント５００については未処理である旨を記憶しておき、この一連の処理の収容後、積込用収容箱５１２から、未処理のスライドマウント５００を取り出せばよい。
【００９３】
なお、別の搬送路（分岐路）を設けて、画像読取りを実施しなかったスライドマウント５００を選別するようにしてもよい。
【００９４】
ステップ６０８において、肯定判定されると、ステップ６１２へ移行してスライドマウント５００は、圧着板５５６、５５８間に位置決めされ、次いでステップ６１４で圧着される。この圧着は、圧着機構部５７４のソレノイドへの励磁により、圧縮コイルばね５６４の付勢力に抗して圧着板５５６、５５８が互いに接近する方向へ同量移動する。これにより、スライドマウント５００は一対の圧着板５５６、５５８によって圧着保持される。ここで、スライドマウント５００上のフィルム５０４は、枠体５０６との間で段差がある。従って、枠体５０６のみを圧着すると、この隙間分圧着ガラス浮いてしまうことがあり、ピントずれの原因となる。そこで、本実施の形態の圧着ガラス５７０、５７２は、フィルムの画像に相当する領域を前記隙間分突出させたため、フィルム５０４の表裏面も確実に圧着ガラス５７０、５７２によって圧着され、ピントずれを防止することができる。
【００９５】
圧着板５５６、５５８による圧着後、ステップ６１６では回転シャフト５３６を回転させ、キャリア本体５２６を１往復移動させる。この１回目の１往復時の往路時にプレスキャニングがなされる（ステップ６１８）。次に、ステップ６２０において、再度回転シャフト５３６を回転させ、キャリア本体を１往復させる。この２回目の１往復時の往路時にファインスキャニングがなされる（ステップ６２２）。
【００９６】
次のステップ６２４では、圧着板５５６、５５８による圧着が解除され、次いでステップ６２６で全てのスライドマウントの画像読取処理が終了したか否かが判断され、否定判定の場合は、ステップ６００へ移行して上記処理を継続する。また、肯定判定された場合は、ステップ６２８へ移行して第３及び第４の搬送ローラ対５５２、５５４のみを駆動し、圧着板５５６、５５８間のスライドマウント５００を積込側収容箱５１２方向へ搬送する。なお、第１乃至第４の搬送ローラ対５４８、５５０、５５２、５５４の駆動源が１つであり、かつクラッチ等がない場合には、全てを駆動してもよい。
【００９７】
次のステップ６３０では、積込側収容箱５１２の載置ベースに設けられたローラ５２０を駆動することにより、最下層のスライドマウント５００とローラ５２０との間に搬送されてくるスライドマウント５００が挿入される。
【００９８】
次のステップ６３２では、所定時間が経過したか否かが判断され、肯定判定されると処理は終了する。
【００９９】
なお、本実施の形態では、取出側収容箱５１０、積込側収容箱５１２の上部を開放状態としたが、蓋体を取り付けてもよい。また、取出側収容箱５１０には、スライドマウントを途中で追加してもよい。
【０１００】
また、搬送ローラ対５４８、５５０、５５２、５５４での搬送路途中にゴミ取りローラを配設し、スライドマウント５００のフィルム５０４の表裏面を清掃するようにしてもよい。
【０１０１】
さらに、スライドマウント５００のフィルムサイズ、向きを検出センサとして赤外線センサを用いたが、感光の心配のないものであれば、通常の可視光を用いた光電センサであもよい。
【０１０２】
また、スライドマウント５００における向きの違いは、圧着板５５６、５５８を９０°回転可能とし、対応可能（適合）としてもよい。
【０１０３】
【発明の効果】
以上説明した如く請求項１に記載の発明では、スライドマウントを精度よく定速搬送することができ、該マウントされたフィルムから自動的に画像を読取ることができるという優れた効果を有する。
また、フィルムサイズ等装着されているマウントキャリアとの適合性を判別するため、無駄な画像読取をなくすことができる。
【０１０４】
請求項２に記載の発明では、マウントキャリアを中央に置き、一方から他方へスライドマウントを送り出していくことにより、画像の読取りができ、かつ画像読取前と同様にスライドマウントを積み重ねて収容することができるため、長尺フィルムの処理と同等の工程となり、作業効率がよい。
また、フィルムサイズ等装着されているマウントキャリアとの適合性を判別するため、無駄な画像読取をなくすことができる。
【０１０５】
請求項３に記載の発明では、画像に対応する領域の透明部分をフィルムに接触させるようにしたため、ピントずれ等の不具合を解消することができる。
【図面の簡単な説明】
【図１】本発明の実施の形態に係るディジタルラボシステムの概略構成図である。
【図２】ディジタルラボシステムの外観図である。
【図３】ラインＣＣＤスキャナの光学系の概略構成図である。
【図４】ラインＣＣＤスキャナの電気系の概略構成図である。
【図５】画像処理部の概略構成図である。
【図６】本実施の形態に係るマウントキャリアの概略構成を示す側面図である。
【図７】本実施の形態に係るマウントキャリアの斜視図である。
【図８】マウントキャリアに装備されたキャリア本体の構造を示す斜視図である。
【図９】本実施の形態に係るスライドマウントの画像を読取るための制御フローチャートである。
【図１０】スライドマウントに装着されるフィルムサイズ及び向きを示す正面図である。
【図１１】図９のステップ６０６のサブルーチンを示す制御フローチャートである。
【符号の説明】
１０    ディジタルラボシステム
１４    ラインＣＣＤスキャナ（走査位置に相当）
５００    スライドマウント
５０２    マウントキャリア
５０４    フィルム
５０６    枠体
５１０、５１２    収容箱
５１８    ローラ
５２０    ローラ
５２６    キャリア本体
５３４    移動ブロック
５３６    回転シャフト
５４８、５５０、５５２、５５４    搬送ローラ対
【図１】
0003686235.tif 000002
【図２】
0003686235.tif 000003
【図３】
0003686235.tif 000004
【図４】
0003686235.tif 000005
【図５】
0003686235.tif 000006
【図６】
0003686235.tif 000007
【図７】
0003686235.tif 000008
【図８】
0003686235.tif 000009
【図９】
0003686235.tif 000010
【図１０】
0003686235.tif 000011
【図１１】
0003686235.tif 000012